(57)【要約】【課題】少なくとも映像データを符号化して保存するだけでなく各種の再生機器や再生ソフトウェアで取り扱えるように保存でき、利用時の利便性に優れる情報保存装置を提供すること。【解決手段】本発明では、映像データと音声データを含む視聴データを符号化するコーデックを有し、符号化した視聴データを圧縮視聴データとして生成する符号化処理部と、前記符号化処理部で生成された圧縮視聴データを記憶する記憶部とを備えた情報保存装置において、前記符号化処理部は、符号化の方式が異なる２つ以上の映像コーデックを有し、１つの視聴データに対して前記２つ以上の映像コーデックで符号化することにより、共通の内容を有し且つ符号化の方式が異なる２つ以上の圧縮視聴データを生成し、前記記憶部は、前記符号化処理部で生成された共通の内容を有し且つ符号化の方式が異なる２つ以上の圧縮視聴データを記憶するようにした。【選択図】  図１
2019029927.tif 000002
【特許請求の範囲】
【請求項１】
映像データと音声データを含む視聴データを符号化するコーデックを有し、符号化した視聴データを圧縮視聴データとして生成する符号化処理部と、前記符号化処理部で生成された圧縮視聴データを記憶する記憶部とを備えた情報保存装置において、
前記符号化処理部は、符号化の方式が異なる２つ以上の映像コーデックを有し、１つの視聴データに対して前記２つ以上の映像コーデックで符号化することにより、共通の内容を有し且つ符号化の方式が異なる２つ以上の圧縮視聴データを生成し、
前記記憶部は、前記符号化処理部で生成された共通の内容を有し且つ符号化の方式が異なる２つ以上の圧縮視聴データを記憶することを特徴とする情報保存装置。
【請求項２】
前記符号化処理部は、符号化の方式が異なる２つ以上の音声コーデックを有し、１つの視聴データに対して前記２つ以上の音声コーデックで符号化することにより、共通の内容を有し且つ符号化の方式が異なる２つ以上の圧縮視聴データを生成することを特徴とする請求項１に記載の情報保存装置。
【請求項３】
前記符号化処理部は、前記映像コーデックとしてＨ．２６４／ＭＰＥＧ−４  ＡＶＣ、及びＭＰＥＧ−２を有し、前記音声コーデックとしてＭＰ３、及びＷＭＡを有することを特徴とする請求項１又は請求項２に記載の情報保存装置。
【請求項４】
前記符号化処理部は、映像コーデック及び音声コーデックが他の映像コーデック及び音声コーデックに置換可能に構成されることを特徴とする請求項１乃至請求項３の何れか１項に記載の情報保存装置。
【請求項５】
前記符号化処理部は、符号化の方式が異なる３つ以上の映像コーデックを有し、選択された２つ以上の映像コーデックで前記映像データを符号化することを特徴とする請求項１乃至請求項４の何れか１項に記載の情報保存装置。
【請求項６】
インターネットを介し、保有していない映像コーデック及び音声コーデックをコンピュータネットワークの中から抽出して取得するコーデック取得部を備えることを特徴とする請求項１乃至請求項５の何れか１項に記載の情報保存装置。
【請求項７】
前記コーデック取得部は、コンピュータネットワークにおける映像コーデック及び音声コーデックの利用状況を抽出し、抽出した利用状況が基準値以上であると判断した映像コーデック及び音声コーデックを取得することを特徴とする請求項６に記載の情報保存装置。
【請求項８】
前記符号化処理部で生成された圧縮視聴データの符号化の方式を他の符号化の方式に変換する符号化方式変換部を備えることを特徴とする請求項１乃至請求項７の何れか１項に記載の情報保存装置。
【請求項９】
前記符号化方式変換部は、変換元の符号化の方式、変換先の符号化の方式、及び変換の開始時刻を含む変換実行計画を受け付け可能に構成され、受け付けた変換実行計画に基づき、前記変換を実行することを特徴とする請求項８に記載の情報保存装置。
【請求項１０】
前記記憶部は、少なくとも１つの放送局によりデジタル放送される視聴データの前記圧縮視聴データを継続して１０年以上に亘って記憶可能な大容量の記憶媒体を用いて、又は、記憶媒体が増設可能に構成されることを特徴とする請求項１乃至請求項９の何れか１項に記載の情報保存装置。
【発明の詳細な説明】
【技術分野】
【０００１】
本発明は、映像データや音声データを符号化して保存する情報保存技術に関する。
【背景技術】
【０００２】
従来、情報保存技術として、受信したデジタル放送の映像データや音声データを記憶媒体に記憶させる際にそれらの符号化を実行するか否かを選択できるようにしたものが知られている（特許文献１）。
【０００３】
映像データや音声データを符号化することにより、それらのデータ量は小さくなる。このため、記憶媒体資源を節約して効率よく映像データ等を保存していくことが可能となる。
【先行技術文献】
【特許文献】
【０００４】
【特許文献１】特開２０１２−１８６８１５号公報
【発明の概要】
【発明が解決しようとする課題】
【０００５】
しかし、映像データや音声データが手元の再生機器や再生ソフトウェアで取り扱えないコーデックで符号化されていると、その映像や音声を再生することができない。
例えば、符号化された映像データがオペレーティングシステムのＷＩＮＤＯＷＳ（登録商標）や付属のＷｉｎｄｏｗｓ  Ｍｅｄｉａ  Ｐｌａｙｅｒ（登録商標）に標準的に組み込まれているコーデックで再生できないことがある。また、オペレーティングシステムのバージョンアップによって、再生できるコーデックが変わることもある。さらに、コーデックの技術は日々進歩しており、映像データの保存側と映像データの利用者側のコーデックに関わるギャップは常に生じうる。
【０００６】
例えば、ＭＰＥＧ−２で符号化された映像であれば再生できるが、Ｈ.２６４/ＭＰＥＧ−４ ＡＶＣで圧縮された映像は利用できないという場合、ソフトウェアを用いて手元の再生機器などで利用できるように符号化の方式を変換（例えば、ＭＰＥＧ−２からＨ.２６４/ＭＰＥＧ−４ ＡＶＣに又はＨ.２６４/ＭＰＥＧ−４ ＡＶＣからＭＰＥＧ−２に変換）するか、対応するコーデックをインストールすることにより、その映像を再生できるようになる。
【０００７】
しかし、符号化の方式の変換やコーデックのインストールは、手間がかかり、特に符号化の方式の変換は、コンピュータの性能や映像データのデータ量などにより、相応の時間が必要となる。また、新たなコーデックのインストールが不可能な場合もある。
【０００８】
従って、映像データや音声データを符号化して保存するだけでなく、各種の再生機器や再生ソフトウェアで取り扱えるように映像や音声を保存できる情報保存技術が望まれる。
【０００９】
本発明は上記事情に鑑みてなされたもので、少なくとも映像データを符号化して保存するだけでなく各種の再生機器や再生ソフトウェアで取り扱えるように保存でき、利用時の利便性に優れる情報保存装置を提供することを課題とする。
【課題を解決するための手段】
【００１０】
上述した課題を解決するため、請求項１に記載の発明にあっては、映像データと音声データを含む視聴データを符号化するコーデックを有し、符号化した視聴データを圧縮視聴データとして生成する符号化処理部と、前記符号化処理部で生成された圧縮視聴データを記憶する記憶部とを備えた情報保存装置において、前記符号化処理部は、符号化の方式が異なる２つ以上の映像コーデックを有し、１つの視聴データに対して前記２つ以上の映像コーデックで符号化することにより、共通の内容を有し且つ符号化の方式が異なる２つ以上の圧縮視聴データを生成し、前記記憶部は、前記符号化処理部で生成された共通の内容を有し且つ符号化の方式が異なる２つ以上の圧縮視聴データを記憶することを特徴とする。
【００１１】
「情報保存装置」は、いわゆるビデオ録画装置やパーソナルコンピュータ等、映像や音声などを記憶可能な装置となる。
「視聴データ」は、例えば、放送局によりデジタル放送される番組やインターネットを介して配信される動画コンテンツ等の映像や音声などのデータである。この視聴データは、符号化できるものであれば、特に制限はない。
【００１２】
請求項２に記載の発明にあっては、前記符号化処理部は、符号化の方式が異なる２つ以上の音声コーデックを有し、１つの視聴データに対して前記２つ以上の音声コーデックで符号化することにより、共通の内容を有し且つ符号化の方式が異なる２つ以上の圧縮視聴データを生成することを特徴とする。
【００１３】
請求項３に記載の発明にあっては、請求項１又は請求項２に記載の構成に加え、前記符号化処理部は、前記映像コーデックとしてＨ．２６４／ＭＰＥＧ−４  ＡＶＣ、及びＭＰＥＧ−２を有し、前記音声コーデックとしてＭＰ３、及びＷＭＡを有することを特徴とする。
【００１４】
[用語の説明]
Ｈ．２６４／ＭＰＥＧ−４  ＡＶＣ：ＩＴＵ−Ｔ  Ｒｅｃ．  Ｈ．２６４  ｜  ＩＳＯ／ＩＥＣ  １４４９６−１０  Ａｄｖａｎｃｅｄ  ＶｉｄｅｏＣｏｄｉｎｇ．
ＭＰＥＧ−２：Ｍｏｖｉｎｇ  Ｐｉｃｔｕｒｅ  Ｅｘｐｅｒｔｓ  Ｇｒｏｕｐ  Ｐｈａｓｅ２.
ＭＰ３：ＭＰＥＧ−１ Ａｕｄｉｏ Ｌａｙｅｒ−３．
ＷＭＡ：ｗｉｎｄｏｗｓ Ｍｅｄｉａ Ａｕｄｉｏ．
【００１５】
映像コーデックであるＨ．２６４／ＭＰＥＧ−４  ＡＶＣ、及びＭＰＥＧ−２、音声コーデックであるＭＰ３、及びＷＭＡは、広く普及しているコーデックである。
【００１６】
請求項４に記載の発明にあっては、請求項１乃至請求項３の何れか１項に記載の構成に加え、前記符号化処理部は、映像コーデック及び音声コーデックが他の映像コーデック及び音声コーデックに置換可能に構成されることを特徴とする。
【００１７】
請求項５に記載の発明にあっては、請求項１乃至請求項４の何れか１項に記載の構成に加え、前記符号化処理部は、符号化の方式が異なる３つ以上の映像コーデックを有し、選択された２つ以上の映像コーデックで前記映像データを符号化することを特徴とする。
【００１８】
請求項６に記載の発明にあっては、請求項１乃至請求項５の何れか１項に記載の構成に加え、インターネットを介し、保有していない映像コーデック及び音声コーデックをコンピュータネットワークの中から抽出して取得するコーデック取得部を備えることを特徴とする。
【００１９】
請求項７に記載の発明にあっては、請求項１乃至請求項６の何れか１項に記載の構成に加え、前記コーデック取得部は、コンピュータネットワークにおける映像コーデック及び音声コーデックの利用状況を抽出し、抽出した利用状況が基準値以上であると判断した映像コーデック及び音声コーデックを取得することを特徴とする。
【００２０】
「利用状況」は、例えば、利用者の数などを用いることができる。
「利用状況が基準値以上であると判断」は、例えば、選定した複数のウェブサイトにおけるコーデックを指し示す文字列の出現頻度などを用いて行うことができる。
【００２１】
請求項８に記載の発明にあっては、請求項１乃至請求項７の何れか１項に記載の構成に加え、前記符号化処理部で生成された圧縮視聴データの符号化の方式を他の符号化の方式に変換する符号化方式変換部を備えることを特徴とする。
【００２２】
請求項９に記載の発明にあっては、請求項１乃至請求項８の何れか１項に記載の構成に加え、前記符号化方式変換部は、変換元の符号化の方式、変換先の符号化の方式、及び変換の開始時刻を含む変換実行計画を受け付け可能に構成され、受け付けた変換実行計画に基づき、前記変換を実行することを特徴とする。
【００２３】
「変換実行計画」は、選択した視聴データについて、例えば、任意の時刻にＨ.２６４/ＭＰＥＧ−４ ＡＶＣからＭＰＥＧ−２に変換する。
変換実行計画に符号化方式の変換の対象とする番組やその部分を特定する項目を含めるようにしてもよい。
【００２４】
請求項１０に記載の発明にあっては、請求項１乃至請求項９の何れか１項に記載の構成に加え、前記記憶部は、少なくとも１つの放送局によりデジタル放送される視聴データの前記圧縮視聴データを継続して１０年以上に亘って記憶可能な大容量の記憶媒体を用いて、又は、記憶媒体が増設可能に構成されることを特徴とする。
【発明の効果】
【００２５】
請求項１に記載の発明によれば、符号化処理部のコーデックによって映像データと音声データを含む視聴データが符号化されて圧縮視聴データとされ、この圧縮視聴データが記憶部に記憶される。
【００２６】
従って、請求項１に記載の発明によれば、映像データ及び音声データのデータ量が符号化によって小さくなり、記憶媒体資源を節約して効率よく視聴データ（番組など）を保存していくことができる。
【００２７】
但し、映像データや音声データが手元の再生機器や再生ソフトウェアで取り扱えないコーデックで符号化されていると、その映像や音声を再生することができない。例えば、ＭＰＥＧ−２で符号化された映像であれば再生できるが、Ｈ.２６４／ＭＰＥＧ−４ ＡＶＣで圧縮された映像は利用できない、という場合がある。
【００２８】
請求項１に記載の発明によれば、前記符号化処理部によって共通の内容を有し且つ映像データに関して符号化の方式が異なる２つ以上の圧縮視聴データが生成され記憶される。このため、１つの視聴データ（番組など）が、各種の再生機器で取り扱えるように保存できるようになる。
【００２９】
即ち、請求項１に記載の発明によれば、映像データを符号化して保存するだけでなく各種の再生機器や再生ソフトウェアで取り扱えるように保存でき、利用時の利便性に優れる情報保存装置を提供できる。
【００３０】
従って、例えば符号化された映像データがオペレーティングシステムのＷＩＮＤＯＷＳ（登録商標）や付属のＷｉｎｄｏｗｓ  Ｍｅｄｉａ  Ｐｌａｙｅｒ（登録商標）に標準的に組み込まれているコーデックで再生できないといった事態を回避しうる。
【００３１】
請求項２に記載の発明によれば、前記符号化処理部によって共通の内容を有し且つ音声データに関して符号化の方式が異なる２つ以上の圧縮視聴データが生成され記憶される。このため、１つの視聴データ（番組など）が、各種の再生機器や再生ソフトウェアで取り扱えるように保存できるようになる。
【００３２】
即ち、請求項２に記載の発明によれば、映像データに加えて、音声データに関しても各種の再生機器や再生ソフトウェアで取り扱えるように保存でき、より利用時の利便性に優れる情報保存装置を提供できる。
【００３３】
請求項３に記載の発明によれば、前記符号化処理部により映像データが広く普及しているＨ．２６４／ＭＰＥＧ−４  ＡＶＣの方式とＭＰＥＧ−２の方式で符号化され、音声コーデックが広く普及しているＭＰ３とＷＭＡの方式で符号化される。
このため、符号化して保存された映像データ及び音声データを取り扱える再生機器等が増えるので、より利用時の利便性に優れる情報保存装置を提供できる。
【００３４】
請求項４に記載の発明によれば、前記符号化処理部における映像コーデック及び音声コーデックが他の映像コーデック及び音声コーデックに置換可能に構成されるので、コーデックの標準化や主流の変化に対応でき、以って長期間の映像と音声の保存に対応できるようになる。
【００３５】
請求項５に記載の発明によれば、映像データは符号化の方式が異なる３つ以上の映像コーデックの中から選択された２つ以上の映像コーデックで符号化されるので、無用な方式による映像データの符号化を避けることができ、効率の良い視聴データの保存が可能となる。
【００３６】
請求項６に記載の発明によれば、保有していない映像コーデック及び音声コーデックは、コーデック取得部によってコンピュータネットワークの中から取得される。このため、新たに公開されるコーデックの取得の作業を要することなく新たに公開されたコーデックを利用でき、従って多様化に優れた情報保存装置を容易に実現できる。
【００３７】
請求項７に記載の発明によれば、前記コーデック取得部によって、コンピュータネットワークにおける利用状況が基準値以上であると判断された映像コーデック及び音声コーデックが取得される。
このため、無用な方式の映像コーデックや音声コーデックの取得を回避できるほか、取得されたコーデックが主要なコーデックであることを示しており、利用頻度の高い符号化の方式による視聴データの保存を容易に且つ確実に行えるようになる。
【００３８】
請求項８に記載の発明によれば、符号化方式変換部によって、前記圧縮視聴データの符号化の方式が他の符号化の方式に変換される。
従って、保存した圧縮視聴データが利用者側の再生機器でデコードできない場合であっても、再生可能な方式で再度の符号化を行うことができる。
【００３９】
請求項９に記載の発明によれば、変換元の符号化の方式、変換先の符号化の方式、及び変換の開始時刻を含む変換実行計画に基づき、上記の変換が実行される。
【００４０】
従って、例えばデジタル放送が行われない時間帯やその他の情報保存装置の処理負荷の小さい時間帯において符号化の方式の変換が自動的に行われるようにすることができる。
【００４１】
請求項１０に記載の発明によれば、前記記憶部が大容量の記憶媒体を用いて又は記憶媒体が増設可能に構成されているので、デジタル放送される視聴データを長期間に亘って符号化して蓄積できる。
【００４２】
また、請求項１０に記載の発明は、請求項１〜請求項９の効果、特に請求項４〜請求項７に記載の効果を有しており、長期的な再生可能性を十分に確保しながら、視聴データを蓄積できるようになる。
【図面の簡単な説明】
【００４３】
【図１】図１は本発明に係る情報保存装置の一実施形態を示す図である。
【発明を実施するための形態】
【００４４】
添付図面を参照して、本発明に係る情報保存装置を実施形態に基づき詳細に説明する。
本実施形態の情報保存装置は、映像データと音声データを含む視聴データを符号化するコーデックを有し、符号化によってそれらのデータ量を小さくして保存できる装置である。
【００４５】
図１に示すように、本実施形態の情報保存装置１０は、放送局２１により放送され送受信部１１通じて受信したデジタル放送番組やインターネットを介してコンピュータネットワーク１８から受信した動画コンテンツなどの視聴データを取得する。
【００４６】
情報保存装置１０は、取得した視聴データに含まれる映像データや音声データを符号化し、符号化した視聴データを圧縮視聴データとして生成する符号化処理部１２と、符号化処理部１２で生成された圧縮視聴データを記憶する記憶部１５とを備えている。
【００４７】
符号化処理部１２は、映像コーデックとして符号化の方式が異なるＨ．２６４／ＭＰＥＧ−４  ＡＶＣ、及びＭＰＥＧ−２の２種類を有している。
【００４８】
また、符号化処理部１２は、音声コーデックとして符号化の方式が異なるＭＰ３、及びＷＭＡの２種類を有している。
【００４９】
符号化処理部１２は、特定のデジタル放送番組など、１つの視聴データに対して上記の２種類の映像コーデックと２種類の音声コーデックによって符号化し、共通の内容を有し符号化の方式だけが異なる２つの圧縮視聴データを生成する。
【００５０】
具体的には、Ｈ．２６４／ＭＰＥＧ−４  ＡＶＣで符号化された映像データとＭＰ３で符号化された音声データは、再生機器が再生可能なファイルとして１つにまとめられ第一圧縮視聴データとされたうえで、第一記憶部１３に記憶される。
【００５１】
同様に、ＭＰＥＧ−２で符号化された映像データとＷＭＡで符号化された音声データは、再生機器が再生可能なファイルとして１つにまとめられ第二圧縮視聴データとされたうえで、同じく第一記憶部１３に記憶される。
尚、第二記憶部１４は、後述する符号化の方式が変換された視聴データを記憶するために設けられている。
【００５２】
第一記憶部１３を有する記憶部１５は、符号化処理部１２で生成された共通の内容を有し且つ符号化の方式が異なる第一圧縮視聴データと第二圧縮視聴データを記憶でき、かつ、少なくとも１つの放送局によりデジタル放送される視聴データから生成される圧縮視聴データを継続して１０年以上に亘って記憶可能な大容量のハードディスクを用いて構成されている。
【００５３】
符号化処理部１２で生成された第一圧縮データや第二圧縮視聴データは、利用端末１６で再生したり、記憶メディアにコピーしたりできるようになっている。
【００５４】
また、符号化処理部１２は、映像コーデックであるＨ．２６４／ＭＰＥＧ−４  ＡＶＣやＭＰＥＧ−２が他の映像コーデックと置換可能に構成され、また、音声コーデックであるＭＰ３やＷＭＡが他の音声コーデックと置換可能に構成されている。
【００５５】
他の映像コーデックは、例えば、Ｘｖｉｄ、ＤｉｖＸ、ＶＰ９、Ｍｏｔｉｏｎ  ＪＰＥＧ、ＤＶ、ＭＰＥＧ−１、ＭＰＥＧ−４、Ｈ.２６５/ＨＥＶＣ、ＷＭＶ９などであり、他の音声コーデックは、ＡＡＣ、Ｖｏｒｂｉｓ、ＡＣ３、ＭＰ２などである。フルハイビジョンで放送された視聴データの符号化にあっては、データ量の圧縮の観点から、Ｈ.２６５/ＨＥＶＣや後続のＨ.２６６が好適である。
【００５６】
符号化処理部１２は、実行可能なコーデックに制限はなく、符号化の方式が異なる３つ以上の映像コーデックを保有しているときは、利用端末１６を介して利用者により選択された映像コーデック及び音声コーデックを用いて映像データ及び音声データを符号化するようになっている。
【００５７】
更に、情報保存装置１０は、図１に示すように、コーデック取得部１７を備えている。コーデック取得部１７は、送受信部１１を経由して、インターネットを介して保有していない映像コーデック及び音声コーデックをコンピュータネットワーク１８の中から抽出して取得し、符号化処理部１２に送る。
【００５８】
コーデック取得部１７は、コンピュータネットワーク１８における映像コーデック及び音声コーデックの利用状況を抽出したうえで、利用状況が基準値以上であると判断した映像コーデック及び音声コーデックに限定して取得するようになっている。
【００５９】
利用状況は、例えば、コーデックの普及度や利用者数を推定しうるものが好ましい。本実施形態のコーデック取得部１７にあっては、予め選定した複数のウェブサイトにおいてコーデックを指し示す文字列の出現頻度やその使われ方などを抽出し、その結果に基づいて普及度が３番目以上であると判断した映像コーデック及び音声コーデックを取得する。尚、３番目などの基準値は適宜選択される。
【００６０】
また、情報保存装置１０は、図１に示すように、符号化処理部１２で生成され第一記憶部１３に記憶された圧縮視聴データの符号化の方式を他の符号化の方式に変換する符号化方式変換部１９を備えている。
【００６１】
符号化方式変換部１９は、利用端末１６を介して要求を受けた場合に符号化の方式の変換を実行する。
【００６２】
この符号化方式変換部１９は、変換元の符号化の方式（例えば、Ｈ．２６４／ＭＰＥＧ−４  ＡＶＣ）、変換先の符号化の方式（例えば、ＭＰＥＧ−２）、及び変換の開始時刻、符号化の対象とする視聴データなどを含む変換実行計画を受け付け、受け付けた変換実行計画に基づいて変換処理を実行できるようになっている。尚、変換実行計画は、利用端末１６を介して利用者により適宜設定される。
【００６３】
符号化方式変換部１９で変換された圧縮視聴データは、第二記憶部１４に記憶され、利用端末１６で再生したり、記憶メディアにコピーしたりできるようになっている。
【００６４】
次に、情報保存装置１０の効果を説明する。
本実施形態の情報保存装置１０にあっては、符号化処理部１２のコーデックによって映像データと音声データを含む視聴データが符号化されて圧縮視聴データとされ、この圧縮視聴データが第一記憶部１３に記憶される。
【００６５】
従って、情報保存装置１０によれば、映像データ及び音声データのデータ量が符号化によって小さくなり、記憶媒体資源を節約して効率よく視聴データ（番組など）を保存していくことができる。
【００６６】
また、符号化処理部１２によってＨ．２６４／ＭＰＥＧ−４  ＡＶＣで符号化された映像データとＭＰ３で符号化された音声データが再生可能に１つのファイルにまとめられ、同時に、ＭＰＥＧ−２で符号化された映像データとＷＭＡで符号化された音声データが再生可能に１つのファイルにまとめられて記憶部１５に記憶される。
【００６７】
従って、再生機器の違いによって、ＭＰＥＧ−２とＷＭＡにより符号化され圧縮された番組であれば再生できるが、Ｈ.２６４/ＭＰＥＧ−４ ＡＶＣとＭＰ３で圧縮された番組は再生できない、という事態を回避できる。
【００６８】
即ち、本実施形態の情報保存装置１０によれば、映像データ及び音声データを符号化して保存するだけでなく各種の再生機器や再生ソフトウェアで取り扱えるように保存でき、利用時の利便性に優れる情報保存装置を提供できる。
【００６９】
以上、本発明に係る情報保存装置を１つの実施形態に基づき説明してきたが、具体的な構成については、本実施形態に限られるものではなく、特許請求の範囲に記載の発明の要旨を逸脱しない限り変更や追加等は許容される。
【００７０】
例えば、本実施形態では、送受信部を情報保存装置の内部に設ける例を示したが、送受信部は情報保存装置の外部に設けるようにしてもよい。
【００７１】
また、第一記憶部と第二記憶部は、分離したハードディスクとして構成するほか、１つのハードディスクの領域分けにより構成するようにしてもよい。
【産業上の利用可能性】
【００７２】
本発明に係る情報保存装置は、映像や音声を蓄積するサーバーや家庭用のビデオ録画装置等、広く産業上の可能性を有している。
【符号の説明】
【００７３】
１０…情報保存装置
１１…送受信部
１２…符号化処理部
１３…第一記憶部
１４…第二記憶部
１５…記憶部
１６…利用端末
１７…コーデック取得部
１８…コンピュータネットワーク
１９…符号化方式変換部
【図１】
2019029927.tif 000003